(57)【要約】【課題】シーケンサ用の電源が不要であり、従来よりも故障率の低いシーケンス構成を有するリレーターミナルを提供する。【解決手段】リレーターミナルは、コネクタ５に、シーケンス配線を有するプリント配線板８を接続し、シーケンス構成を実現する。本体配線板をリレー２、端子台３、およびコネクタ５を相互に接続する構成とし、シーケンス配線を有するプリント配線板８をコネクタ５に接続する構成としたことで、シーケンサ用の電源や半導体素子を不要とする構成でありながらもシーケンス構成を介在させることが可能となる。【選択図】図１
2010027275.tif 000002
【特許請求の範囲】
【請求項１】
本体筐体と、プリント配線板と、からなるリレーターミナルであって、
前記本体筐体は、
複数のリレーと、
前記複数のリレーを制御する制御信号を入力する入力端子、およびリレーからの出力端子を備えた端子台と、
前記プリント配線板を接続するコネクタと、
前記リレー、前記端子台、および前記コネクタを相互に接続する本体配線板と、
を備え、
前記プリント配線板の配線は、シーケンス配線のみからなることを特徴とするリレーターミナル。
【請求項２】
前記コネクタは、ソケット形状であり、
前記プリント配線板は、前記ソケットにコネクタ接続される請求項１に記載のリレーターミナル。
【請求項３】
前記コネクタは、スロット形状であり、
前記プリント配線板は、前記スロットにカードエッジ接続される請求項１に記載のリレーターミナル。
【請求項４】
前記本体筐体は、前記プリント配線板を載せる載置台を備えた請求項１、請求項２、または請求項３に記載のリレーターミナル。
【請求項５】
前記本体筐体は、前記コネクタを複数備え、前記プリント配線板を複数接続することを特徴とする請求項１乃至請求項４のいずれかに記載のリレーターミナル。
【請求項６】
前記プリント配線板は、
絶縁物を間に挟み込んだ多層基板構造を有し、
スルーホールによる層間の導通構成を有する請求項１乃至請求項５のいずれかに記載のリレーターミナル。
【発明の詳細な説明】
【技術分野】
【０００１】
この発明は、コントローラと制御対象機器とのインタフェースとして用いられるリレーターミナルに関する。
【背景技術】
【０００２】
コントローラと制御対象機器とのインタフェースとして用いられるリレーターミナルでは、コントローラの出力信号や、他の機器の動作状態により介在されるシーケンス構成に従って、制御対象機器を制御するものが一般的である。
【０００３】
介在されるシーケンス構成には、ケーブル配線を用いる場合や、別途、外部のプログラマブルシーケンサを用いる場合がある（例えば特許文献１を参照）。
【特許文献１】特開平１０−２８９７４３号公報
【発明の開示】
【発明が解決しようとする課題】
【０００４】
しかし、ケーブル配線によるシーケンス構成では、手作業による接続を行うため、コストがかかる。また、誤配線の可能性も高くなる。さらには、作業用の配線スペースが比較的多く必要である。
【０００５】
また、特許文献１のように外部のプログラマブルシーケンサを用いると、このプログラマブルシーケンサ用の電源が必要になる。また、プログラマブルシーケンサの電子部品（半導体素子）が故障する可能性もある。
【０００６】
そこで、この発明は、シーケンサ用の電源が不要であり、従来よりも故障率の低いシーケンス構成を有するリレーターミナルを提供することを目的とする。
【課題を解決するための手段】
【０００７】
この発明のリレーターミナルは、本体筐体と、プリント配線板と、からなるリレーターミナルであって、前記本体筐体は、複数のリレーと、前記複数のリレーを制御する制御信号を入力する入力端子、およびリレーからの出力端子を備えた端子台と、前記プリント配線板を接続するコネクタと、前記リレー、前記端子台、および前記コネクタを相互に接続する本体配線板と、を備え、前記プリント配線板の配線は、シーケンス配線のみからなることを特徴とする。
【０００８】
このように、本体配線板をリレー、端子台、およびコネクタを相互に接続する構成とし、シーケンス配線のみ（半導体素子および電源ライン（本体側の半導体素子を駆動するための電源ライン）を含まない）からなるプリント配線板をコネクタに接続する構成としたことで、シーケンサ用の電源や半導体素子を不要とする構成でありながらもシーケンス構成を介在させることが可能となる。
【０００９】
また、前記コネクタは、ソケット形状であり、前記プリント配線板は、前記ソケットにコネクタ接続されるように構成してもよい。コネクタ接続されることで、ワンタッチでプリント配線板を本体筐体に接続することができる。
【００１０】
また、前記コネクタは、スロット形状であり、前記プリント配線板は、前記スロットにカードエッジ接続されるように構成してもよい。カードエッジ接続されることで、コネクタ等の接続部品を不要とすることができる。
【００１１】
また、前記本体筐体は、前記プリント配線板を載せる載置台を備えたことを特徴とする。載置台にプリント配線板を載せることで、本体筐体以外のスペースにプリント配線板を配置する必要が無く、省スペースで見た目にもすっきりとした外観となる。
【００１２】
また、前記本体筐体は、前記コネクタを複数備え、前記プリント配線板を複数接続する構成とすることも可能である。複数の接続箇所を設けることにより、シーケンス構成の規模を増やしたり、使用する用途や使用する定格電圧等によって使い分けをすることができる。
【００１３】
また、前記プリント配線板は、絶縁物を間に挟み込んだ多層基板構造を有し、スルーホールによる層間の導通構成を有することも可能である。この場合、多層化により省スペースでありながら多くのシーケンス構成を有することができる。また、各基板のスルーホールに接続端子を適用する構成により、層間の接続と、各層の配線板の固定を同時に行うこともでき、製作コストを抑えることもできる。
【発明の効果】
【００１４】
この発明によれば、本体配線板をリレー、端子台、およびコネクタを相互に接続する構成とし、シーケンス配線を有するプリント配線板をコネクタに接続する構成としたことで、シーケンサ用の電源や半導体素子を不要とする構成でありながらもシーケンス構成を介在させることが可能となる。
【発明を実施するための最良の形態】
【００１５】
図１は、この発明の実施形態であるリレーターミナルの本体筐体の外観図である。図２は、リレーターミナルの回路構成を示す図である。図３は、プリント配線板の外観を示す図である。
【００１６】
リレーターミナルの本体筐体１は、複数のリレー２、端子台３、複数のＬＥＤ４、およびコネクタ５を備えている。本体筐体１は、直方体形状の筐体であり、内部が中構造となっており、本体配線板６が内蔵されている。
【００１７】
本体筐体１の前面側（紙面左下側）の上面には、複数の端子からなる端子台３が設けられている。端子台３は、複数のリレー２を制御する制御信号を入力する入力端子や、リレーからの出力端子を備えている。
【００１８】
本体筐体１の背面側（紙面右上側）の上面には、複数のリレー２と、各リレー２に対応するＬＥＤ４が設けられている。ＬＥＤ４は、各リレー２の動作状態を表示するためのものである。なお、ＬＥＤ４は、本発明において必須の構成ではない。
【００１９】
本体筐体１の左側面（紙面左上側）の上面には、コネクタ５およびプリント配線板８を載せるための載置台が設けられている。載置台にプリント配線板を載せることで、本体筐体以外のスペースにプリント配線板を配置する必要が無く、省スペースで見た目にもすっきりとした外観となる。コネクタ５は、図３に示すようにソケット形状となっており、プリント配線板８のコネクタ７がこのソケットに挿入される。このように、コネクタ接続されることで、ワンタッチでプリント配線板８を本体筐体１に接続することができるようになっている。
【００２０】
本実施形態のリレーターミナルは、コネクタ５に、シーケンス配線を有するプリント配線板８を接続し、シーケンス構成を実現するものである。
【００２１】
図２を参照して、本体配線板およびプリント配線板について説明する。本実施形態のリレーターミナルでは、本体筐体１のコネクタ７と、プリント配線板８のコネクタ７と、が接続され、同図に示すような回路構成が実現される。
【００２２】
すなわち、本体配線板６は、リレー２、端子台３、およびコネクタ５を相互に接続するような回路構成となっており、プリント配線板８のシーケンス配線の態様によって、種々のシーケンスが実現される。
【００２３】
同図に示す例では、端子台３からの入力信号により、リレー２の２ａ接点を動作させ、その接点出力を端子台３に出力するようなシーケンス配線となっている。ここで、接続されているプリント配線板を、異なるシーケンス配線を有するプリント配線板に変更すると、リレーターミナルのシーケンスが変更される。このように、本実施形態のリレーターミナルでは、プリント配線板８を交換するだけで、本体配線板を変更せずにシーケンスを変更することができる。
【００２４】
また、プリント配線板８は、半導体素子を含まず、本体側の半導体素子を駆動するための電源ライン等も含まないシーケンス配線のみを有する構成であるため、従来よりも信頼性が高く、故障率の低いシーケンス構成を有するリレーターミナルを実現することができる。
【００２５】
なお、本発明において、本体筐体の形状や、リレー、端子台、およびコネクタの形状は図１および図２に示した例に限るものではない。また、リレーの数や配置、配線の態様についても図１および図２に示した例に限るものではない。
【００２６】
また、プリント配線板８とコネクタ５との接続態様も、図３の例に限るものではない。図４は、他の接続態様に係るプリント配線板の外観を示す図である。同図に示すように、プリント配線板８は、カードエッジ９を接続箇所として、コネクタ５に接続される。このように、カードエッジ接続によりコネクタ５に接続されることで、コネクタ等の接続部品を不要とすることもできる。
【００２７】
また、コネクタ５の数、および載置台の数も図１の例に限るものではない。例えば、図５に示すように、本体筐体１の左側面（紙面左上側）および右側面（紙面右下側）の上面に、複数のコネクタ５および載置台を設けるようにすることも可能である。このように、複数のコネクタおよび載置台を設けることにより、シーケンス構成の規模を増やしたり、使用する用途や使用する定格電圧等によって種々の使用態様を実現することができる。
【００２８】
また、プリント配線板の構成も、図３や図４に示した例に限るものではない。例えば、図６に示すような積層構造とすることも可能である。
【００２９】
図６は、積層構造を有するプリント配線板の外観を示す図である。このプリント配線板は、複数のプリント配線板１０、プリント配線板１１、プリント配線板１２、およびプリント配線板１３を積層した構造からなり、各プリント配線板の間には、絶縁体１４を挟み込んでいる。絶縁体としては、プリプレグ、絶縁フィルムや絶縁テープ等を用いることができる。
【００３０】
プリント配線板１３の下部には、コネクタ７を設けられており、このプリント配線板１３が本体筐体のコネクタ７と接続される。プリント配線板１０、プリント配線板１１、プリント配線板１２、およびプリント配線板１３は、それぞれスルーホールにより導通されている接続端子１５を介して接続されている。
【００３１】
この場合、多層化した構造により、省スペースでありながら多くのシーケンス構成を有することができる。また、スルーホールに接続端子１５を用いている構成により、層間の接続と、各層の配線板の固定を同時に行うことができ、製作コストを抑えることもできる。
【図面の簡単な説明】
【００３２】
【図１】本実施形態のリレーターミナルの外観図である。
【図２】リレーターミナルの回路構成を示す図である。
【図３】プリント配線板の外観を示す図である。
【図４】プリント配線板の外観を示す図である。
【図５】リレーターミナルの外観図である。
【図６】プリント配線板の外観を示す図である。
【符号の説明】
【００３３】
１−本体筐体
２−リレー
３−端子台
４−ＬＥＤ
５−コネクタ
８−プリント配線板
【図１】
2010027275.tif 000003
【図２】
2010027275.tif 000004
【図３】
2010027275.tif 000005
【図４】
2010027275.tif 000006
【図５】
2010027275.tif 000007
【図６】
2010027275.tif 000008